(57)【要約】【課題】  遊技場の稼動を低下させることなく、喫煙者及び嫌煙者の要望に応えた分煙化を図ることができる遊技管理システムを提供する。【解決手段】  遊技場に設置された遊技機に関連して遊技者の喫煙を許可する喫煙許可状態と遊技者の喫煙を許可しない喫煙不許可状態とを切替可能な喫煙環境切替手段と、前記喫煙環境切替手段が前記喫煙許可状態又は前記喫煙不許可状態のどちらであるかを遊技者に示す状態明示手段と、遊技機で遊技する遊技者の喫煙意思情報又は嫌煙意思情報を遊技機毎に収集する意思収集手段と、前記意思収集手段によって収集された意思情報に基づいて、当該意思情報が収集された遊技機を含む所定範囲の遊技機を対象として、前記喫煙環境切替手段の状態を前記喫煙許可状態と前記喫煙不許可状態とに切替制御する切替制御手段と、を備える。【選択図】  図１３
2007082673.tif 000002
【特許請求の範囲】
【請求項１】
遊技場に設置された遊技機に関連して遊技者の喫煙を許可する喫煙許可状態と遊技者の喫煙を許可しない喫煙不許可状態とを切替可能な喫煙環境切替手段と、
前記喫煙環境切替手段が前記喫煙許可状態又は前記喫煙不許可状態のどちらであるかを遊技者に示す状態明示手段と、
遊技機で遊技する遊技者の喫煙意思情報又は嫌煙意思情報を遊技機毎に収集する意思収集手段と、
前記意思収集手段によって収集された意思情報に基づいて、当該意思情報が収集された遊技機を含む所定範囲の遊技機を対象として、前記喫煙環境切替手段の状態を前記喫煙許可状態と前記喫煙不許可状態とに切替制御する切替制御手段と、を備えることを特徴とする遊技管理システム。
【請求項２】
営業日又は営業時間に応じて、前記喫煙許可状態と前記喫煙不許可状態との切替制御の有効又は無効を設定する分煙設定時間割を記憶する分煙設定時間割記憶手段と、
現在の営業日又は営業時間を取得する営業日時取得手段と、を備え、
前記切替制御手段は、前記取得された営業日又は営業時間と前記分煙設定時間割とに基づいて、前記喫煙許可状態と前記喫煙不許可状態との切替制御の有効又は無効を切り替えることを特徴とする請求項１に記載の遊技管理システム。
【請求項３】
遊技機の稼動率に応じて、前記喫煙許可状態と前記喫煙不許可状態との切替制御の有効又は無効を設定する稼動対応分煙設定情報を記憶する稼動対応分煙設定記憶手段と、
現在の稼動率を取得する稼動率取得手段と、を備え、
前記切替制御手段は、前記取得された稼動率と前記稼動対応分煙設定情報とに基づいて、前記喫煙許可状態と前記喫煙不許可状態との切替制御の有効又は無効を切り替えることを特徴とする請求項１に記載の遊技管理システム。
【請求項４】
遊技者が遊技機を占有する意思情報を収集する占有意思収集手段を備え、
前記占有意思収集手段によって遊技者が遊技機を占有する意思情報が所定期間収集されない場合は、前記意思収集手段によって収集された当該遊技機の意思情報を無効とすることを特徴とする請求項１から３のいずれか一つに記載の遊技管理システム。
【発明の詳細な説明】
【技術分野】
【０００１】
本発明は、遊技管理システムに関し、特に、遊技者の喫煙属性に基づいて遊技場内の分煙化を図る遊技管理システムに関する。
【背景技術】
【０００２】
近年の嫌煙運動の広がりにより、大勢の人が集まる場所では、喫煙できる空間と喫煙できない空間とを分けるいわゆる分煙化が広く推し進められている。この分煙化は、公共施設や公共交通機関のみならず、飲食店等の娯楽施設においても実行され始めている。
【０００３】
一方、遊技場でも一時分煙の試みがされたが、分煙による遊技機の稼動低下などの弊害が無視できずに不成功に終わっている。そして今までに、遊技機に付設された灰皿を、使用できる状態と使用できない状態とに手動で簡単に切り替えられるようにして喫煙を制限する遊技機がある（例えば、特許文献１参照）。
【０００４】
また、底面部が開口した灰皿の下方に吸殻搬送空間を形成し、当該空間に設置した吸殻回収ベルトによって灰皿に投入される吸殻を回収するとともに、吸殻搬送空間と連通する排煙ダクトを形成し、当該排煙ダクトを介して灰皿周辺の煙を外部に排出する吸殻回収設備を備えた遊技機がある（例えば、特許文献２参照）。
【０００５】
また、特別な灰皿装置を設けずに、空気清浄機等の空調設備を充実させることで、遊技場内の環境を改善するようにも努められている。
【特許文献１】特開平８−１３１６３５号公報
【特許文献２】特開２００５−７３５７０号公報
【発明の開示】
【発明が解決しようとする課題】
【０００６】
しかし、どれほど空調浄化設備が整っていても、嫌煙者にとっては他人の煙草の煙を我慢しながら遊技することは耐え難く、煙草の煙が嫌で遊技場から足が遠のいている人もいる。ただし、嫌煙者としては、遊技するためにある程度は煙草の煙を我慢することは止むを得ないことは承知しており、遊技場内の全面的な禁煙までは要求せずとも、少なくとも自分の隣の席での喫煙さえ避けられれば環境は改善されるという意見もある。
【０００７】
一方、喫煙者としては、公共施設での分煙化が進む中で、自由に喫煙できるのは遊技場ぐらいであるという意見もある。このような喫煙者の意見を無視して分煙化することは、遊技場の営業的に成り立たないことは過去の経験から実証済みである。
【０００８】
そして、遊技場としては、昨今の分煙化に対する世の中の取り組みを考慮すると、分煙化を看過することもできない。よって、喫煙者と嫌煙者との両者の意見のバランスのとれた分煙を実現できるシステムが望まれている。
【０００９】
そこで、本発明は、遊技場の稼動を低下させることなく、喫煙者及び嫌煙者の要望に応えた分煙化を図ることができる遊技管理システムを提供することを目的とする。
【課題を解決するための手段】
【００１０】
第１の発明は、遊技場に設置された遊技機に関連して遊技者の喫煙を許可する喫煙許可状態と遊技者の喫煙を許可しない喫煙不許可状態とを切替可能な喫煙環境切替手段と、前記喫煙環境切替手段が前記喫煙許可状態又は前記喫煙不許可状態のどちらであるかを遊技者に示す状態明示手段と、遊技機で遊技する遊技者の喫煙意思情報又は嫌煙意思情報を遊技機毎に収集する意思収集手段と、前記意思収集手段によって収集された意思情報に基づいて、当該意思情報が収集された遊技機を含む所定範囲の遊技機を対象として、前記喫煙環境切替手段の状態を前記喫煙許可状態と前記喫煙不許可状態とに切替制御する切替制御手段と、を備える。
【００１１】
第２の発明は、第１の発明において、営業日又は営業時間に応じて、前記喫煙許可状態と前記喫煙不許可状態との切替制御の有効又は無効を設定する分煙設定時間割を記憶する分煙設定時間割記憶手段と、現在の営業日又は営業時間を取得する営業日時取得手段と、を備え、前記切替制御手段は、前記取得された営業日又は営業時間と前記分煙設定時間割とに基づいて、前記喫煙許可状態と前記喫煙不許可状態との切替制御の有効又は無効を切り替える。
【００１２】
第３の発明は、第１の発明において、遊技機の稼動率に応じて、前記喫煙許可状態と前記喫煙不許可状態との切替制御の有効又は無効を設定する稼動対応分煙設定情報を記憶する稼動対応分煙設定記憶手段と、現在の稼動率を取得する稼動率取得手段と、を備え、前記切替制御手段は、前記取得された稼動率と前記稼動対応分煙設定情報とに基づいて、前記喫煙許可状態と前記喫煙不許可状態との切替制御の有効又は無効を切り替える。
【００１３】
第４の発明は、第１〜第３の発明において、遊技者が遊技機を占有する意思情報を収集する占有意思情報収集手段を備え、前記占有意思収集手段によって遊技者が遊技機を占有する意思情報が所定期間収集されない場合は、前記意思収集手段によって収集された当該遊技機の意思情報を無効とする。
【発明の効果】
【００１４】
第１の発明によれば、遊技場に設置された遊技機に関連して遊技者の喫煙を許可する喫煙許可状態と遊技者の喫煙を許可しない喫煙不許可状態とを切替可能な喫煙環境切替手段と、前記喫煙環境切替手段が前記喫煙許可状態又は前記喫煙不許可状態のどちらであるかを遊技者に示す状態明示手段と、遊技機で遊技する遊技者の喫煙意思情報又は嫌煙意思情報を遊技機毎に収集する意思収集手段と、前記意思収集手段によって収集された意思情報に基づいて、当該意思情報が収集された遊技機を含む所定範囲の遊技機を対象として、前記喫煙環境切替手段の状態を前記喫煙許可状態と前記喫煙不許可状態とに切替制御する切替制御手段と、を備えることによって、喫煙者及び嫌煙者の双方に遊技機を選択する自由が与えられるため、遊技場の稼動を低下させることなく、喫煙者及び嫌煙者の双方の要望に応えた分煙化を図ることができる。また、嫌煙者の要望に応えることによって、従来遊技場から足を遠ざけていた嫌煙者を新たな顧客として開拓することができ、稼動を向上させることができる。
【００１５】
第２の発明によれば、営業日又は営業時間に応じて、前記喫煙許可状態と前記喫煙不許可状態との切替制御の有効又は無効を設定する分煙設定時間割を記憶する分煙設定時間割記憶手段と、現在の営業日又は営業時間を取得する営業日時取得手段と、を備え、前記切替制御手段は、前記取得された営業日又は営業時間と前記分煙設定時間割とに基づいて、前記喫煙許可状態と前記喫煙不許可状態との切替制御の有効又は無効を切り替えることによって、遊技場の客層や見込まれる稼動に対応した分煙化が図れるため、商機を逃すことがなく、遊技場の利益と遊技者の利益との衡平を図ることができる。また、営業日及び営業時間に応じて分煙の有効又は無効を切り替えることによって、嫌煙者は、分煙が有効なタイミングを狙って来店することができ、満足のいく環境で遊技することができる。
【００１６】
第３の発明によれば、遊技機の稼動率に応じて、前記喫煙許可状態と前記喫煙不許可状態との切替制御の有効又は無効を設定する稼動対応分煙設定情報を記憶する稼動対応分煙設定記憶手段と、現在の稼動率を取得する稼動率取得手段と、を備え、前記切替制御手段は、前記取得された稼動率と前記稼動対応分煙設定情報とに基づいて、前記喫煙許可状態と前記喫煙不許可状態との切替制御の有効又は無効を切り替えることによって、稼動が低いときは遊技者の要望に重点が置かれ、稼動が高いときは遊技場の利益に重点が置かれるため、遊技場の利益と遊技者の利益との衡平を図ることができる。また、稼動が低迷している遊技機を分煙の対象とすることによって、当該遊技機に嫌煙者に惹きつけることができ、遊技場内の客付きの均衡を図り、遊技上全体の稼動を向上させることができる。
【００１７】
第４の発明によれば、遊技機が遊技機を占有する意思情報を収集する占有意思収集手段を備え、前記占有意思収集手段によって遊技者が遊技機を占有する意思情報が所定期間収集されない場合は、前記意思収集手段によって収集された当該遊技機の意思情報を無効とすることによって、遊技が終了した後も遊技機の状態が喫煙又は禁煙に設定されたままで、他の遊技者が当該遊技機に寄り付かなくなることによる稼動の低下を防止できる。また、遊技場の稼動に貢献する遊技者にのみ、分煙の利益を享受させることができる。
【発明を実施するための最良の形態】
【００１８】
以下、本発明の実施の形態について説明する。
【００１９】
図１は、本発明の実施の形態の遊技システムのシステム構成図である。
【００２０】
遊技場の内部には内部ネットワークが設けられており、当該内部ネットワークには遊技場内部管理装置（ホールコンピュータ）１、分煙管理装置２、顧客管理装置３及び中継端末装置（ルータ）４が接続されている。なお、分煙管理装置２及び顧客管理装置３は、前記内部ネットワークに直接接続することなく、遊技場内部管理装置１とのみ直接接続してもよい。この場合、分煙管理装置２及び顧客管理装置３は、遊技場内部管理装置１とのみ情報の通信を行う。
【００２１】
遊技場内に設けられた内部ネットワークは、例えば、Ethernet（登録商標）によって構成されている。当該内部ネットワークに接続された機器にはアドレスが設定されており、機器間の通信（例えば、特定の機器に対するデータの転送や指令信号の送信）や、複数の機器に対する同報通信（例えば、マルチキャストやブロードキャスト）を行うことができる。
【００２２】
遊技場内部管理装置１は、情報収集端末装置５を介して遊技用装置６から遊技情報を収集して、各遊技機６ａ（図４）の動作状態を監視する。また、遊技場内部管理装置１は、情報収集端末装置５から収集した遊技情報に基づいて遊技場全体の稼動率を集計する。集計した稼動率は、遊技場内部管理装置１から分煙管理装置２に送信される。なお、稼動率は、機種毎、通路毎、島設備毎又はブロック毎等、所定の単位毎に集計してもよい。
【００２３】
なお、稼動率とは、遊技場に設置されている遊技機６ａのうち稼動している遊技機６ａの割合である。各遊技機６ａが稼動しているか否かは、所定の期間内に、遊技用装置６の回収数計数装置（回収数計数手段）６ｄ（図４）から所定数以上のパルス信号が出力されたか否か、又は、遊技機６ａから所定数以上のスタート信号が出力されたか否か等によって判断される。
【００２４】
分煙管理装置２は、情報収集端末装置５を介して会員端末８から顧客分煙属性を収集し、また、顧客管理装置３から遊技者の分煙属性（喫煙か嫌煙かの属性）を収集して、遊技場に設置された各遊技機６ａの台分煙属性を管理する。分煙管理装置２が、各遊技機６ａの台分煙属性を管理することによって、遊技場内の分煙化を図ることができる。台分煙属性については、図５（Ｂ）で後述する。
【００２５】
また、分煙管理装置２は、遊技場内部管理装置１から日時情報又は稼動情報を収集して、遊技場内の分煙設定の有効又は無効を管理する。なお、日時情報とは、日付、曜日又は時間に関する情報であって、稼動情報とは、遊技用装置６から出力された遊技情報に基づく遊技機６ａの稼動に関する情報であって、各遊技機６ａの稼動量や稼動率を含む。分煙設定については、図６及び図７で後述する。
【００２６】
顧客管理装置３は、遊技場の会員として登録されている遊技者の個人情報（会員登録時に遊技者の申告により登録される遊技者の情報であって、例えば、会員ＩＤ、遊技者の性別、生年月日、住所又は分煙属性等の情報）を管理する。また、顧客管理装置３は、情報収集端末装置５を介して会員端末８から会員ＩＤを収集して遊技者の分煙属性を特定する。
【００２７】
中継端末装置４は、遊技場内の島設備毎に設けられており、当該島設備に設置された各情報収集端末装置５からの情報を中継して、当該情報を内部ネットワークに向けて送信する。なお、中継端末装置４の設置は、島設備毎に限られず、フロア毎、通路毎又は所定のブロック毎でもよい。
【００２８】
情報収集端末装置５は、ＣＰＵを内蔵した１チップタイプのマイクロプロセッサ、電源回路及びデータ入出力用端子が設けられている。また、ＣＰＵが接続されているアドレス及びデータのためのコモンバスには、ＣＰＵに使用されるメモリとしてＲＡＭ、ＥＥＰＲＯＭ及びＲＯＭが、また、外部との入出力を司るネットワーク通信ポート及びＩ／Ｏポートが接続されている。
【００２９】
ＲＡＭは、ＣＰＵによるプログラム実行時のワークエリアとして使用されるメモリである。ＲＡＭは、各種データを一時的に記憶する記憶領域及びＣＰＵの動作に必要なデータが一時的に記憶される作業領域を備える。
【００３０】
情報収集端末装置５は、遊技用装置６、呼出しランプ７及び会員端末８に接続されており、遊技用装置６から送信される遊技情報、呼出しランプ７から送信される遊技者からの呼び出しに関する情報及び会員端末８から送信される会員ＩＤや顧客分煙属性を収集する。
【００３１】
なお、複数（例えば、２台）の遊技用装置６に対して１台の情報収集端末装置５を接続する構成でもよい。また、呼出しランプ７及び／又は会員端末８を内部ネットワークに直接接続し、内部ネットワークを通じて対応する情報収集端末装置５に論理的に接続してもよい。ただし、複数の遊技用装置６に対して１台の情報収集端末装置５を接続する構成の場合、呼出しランプ７は各遊技機６ａに一対一に対応して接続する構成とする。
【００３２】
情報収集端末装置５は、遊技用装置６から送信される遊技情報を収集すると、所定期間の遊技情報の累積値（例えば、遊技機６ａから出力される特賞信号に基づいて算出される特賞発生回数の累積値）を生成し、当該累積値に基づいて遊技用装置６の稼動量を算出する。そして、情報収集端末装置５は、算出した稼動量を遊技場内部管理装置１に送信する。この情報収集端末装置５が生成する所定期間の遊技情報の累積値は、通常は一営業単位毎に累積算出される。
【００３３】
ここで営業単位とは一日の営業開始から営業終了までを意味し、開店時間より早く始まり閉店時間より遅く終わる。なお、一日の営業時間を午前、午後等に分割して、一日に複数の営業単位を設定してもよい。また、営業単位を、複数日（例えば、１週間）にわたるものとしてもよい。
【００３４】
また、情報収集端末装置５は、会員端末８から送信される会員ＩＤ又は顧客分煙属性を収集すると、これらの情報を分煙管理装置２又は顧客管理装置３に送信する。
【００３５】
遊技用装置６は、島設備に複数台ずつ設置されており、遊技機６ａに球貸ユニット６ｂ、補給数計数装置（補給数計数手段）６ｃ及び回収数計数装置６ｄ等の周辺装置が付加されて構成されている（図４）。なお、遊技機６ａ又は球貸ユニット６ｂから、後述する賞球信号及び球貸信号が出力される場合は、補給数計数装置６ｃを設ける必要はない。
【００３６】
遊技機６ａは遊技制御装置を中心とする各種制御装置を備え、例えば、変動表示ゲームを実行したり、図柄が揃った場合には大当り状態を発生させたりする（つまり、変動表示ゲームが特定の結果態様を導出した場合には遊技者に遊技価値を付与する）。
【００３７】
遊技制御装置は、遊技を統括的に制御する主制御装置であり、遊技制御を司るＣＰＵ、遊技制御のための不変の情報（プログラム、データ等）を記憶しているＲＯＭ、遊技制御時にワークエリアとして利用されるＲＡＭを内蔵した遊技用マイクロコンピュータ、入力インターフェース、出力インターフェース及び外部通信端子等から構成される。
【００３８】
遊技用マイクロコンピュータは、入力インターフェースを介しての各種検出装置（特別図柄始動センサ、普通図柄始動センサ又は一般入賞口センサ）からの検出信号を受けて、大当り抽選等、種々の処理を行う。そして、出力インターフェースを介して、各従属制御装置（表示制御装置、音制御装置、装飾制御装置及び排出制御装置）、普通電動役物ソレノイド又は大入賞口ソレノイド等に指令信号を送信して、遊技を統括的に制御する。
【００３９】
遊技用マイクロコンピュータには外部通信用端子が設けられており、遊技用マイクロコンピュータに一意に設定された識別番号を外部通信用端子から出力することができ、この外部通信用端子に検査装置や遊技場内部管理装置１を接続することで、各装置が遊技機６ａを識別することができる。
【００４０】
各遊技用装置６には、呼出しランプ７が設けられている。呼出しランプ７は、遊技場の従業員を呼び出すための呼出スイッチが備えられている。遊技者は、この呼出スイッチを操作することによって呼出しランプ７が点灯し、例えば、遊技機６ａに異常が発生した場合や、遊技球を貯留する球箱が不足している場合に遊技場の従業員を呼び出すことができる。
【００４１】
会員端末８は、遊技用装置６の球貸ユニット６ｂに並設されている。また、会員端末８は遊技者意思収集手段として機能し、遊技者による会員カードの挿入又は分煙受付スイッチ８０３（図９）の操作によって、遊技者の分煙属性を収集する。また、会員端末８は、分煙管理装置２から受信した分煙情報に基づいて、灰皿装置９を遊技者の喫煙を許可する喫煙状態（喫煙許可状態）と遊技者の喫煙を許可しない禁煙状態（喫煙不許可状態）とに切替制御するとともに、これらの状態に応じた表示を表示装置８１に表示する。なお、分煙情報は、遊技機６ａの台分煙属性に基づいて決定される。
【００４２】
灰皿装置９は喫煙環境切替手段として機能し、各遊技機６ａに一つずつ備えられている。灰皿装置９は、開閉可能な蓋部９１（図１０（Ｂ））を有し、会員端末８によって当該蓋部９１の動作が制御される。灰皿装置９については、図１０で後述する。
【００４３】
コーナーランプ１０は、遊技場内の島設備毎に設けられている。コーナーランプ１０は、分煙が島設備毎に実行される場合に、当該島設備が禁煙状態か喫煙状態かを点灯態様（例えば、点灯又は点滅）によって報知する。なお、コーナーランプ１０は、島設備毎に限られず、フロア毎、通路毎又は所定のブロック毎に設置されてもよい。
【００４４】
本実施の形態では、情報収集端末装置５からの情報を中継する中継端末装置４を島設備毎に設けたが、中継端末装置４を設けることなく、情報収集端末装置５を内部ネットワークに直接接続するように構成してもよい。また、情報収集端末装置５の代わりにリモートＩＯを置き、中継端末装置４の代わりに複数の遊技用装置６に対応する情報収集端末装置５を設置することもできる。このように構成することで、従来、島コンピュータと称された方式での遊技システムにも対応することができる。
【００４５】
図２は、本発明の実施の形態の顧客管理装置３の構成を示すブロック図である。
【００４６】
顧客管理装置３には、ＣＰＵ３０１、プログラム等を予め格納したＲＯＭ３０２、ＣＰＵの動作時にワークエリアとして使用されるメモリであるＲＡＭ３０３及び各種データを記憶するハードディスク等の記憶装置（ＨＤＤ）３０４が設けられている。
【００４７】
ＨＤＤ３０４は、遊技場の会員として登録されている遊技者の個人情報を記憶する。遊技者の個人情報は、会員ＩＤをキーとするデータベースに格納される。これにより、会員端末８から送信された会員ＩＤによって当該遊技者が予め登録した分煙属性を特定することができる。
【００４８】
また、ＨＤＤ３０４は、遊技場内部管理装置１から受信した遊技者の遊技ポイントを記憶する。遊技ポイントには、遊技球を借りることにより付与されるポイント、特別遊技状態（大当たり遊技）の発生により付与されるポイント、遊技機６ａの遊技領域に発射した遊技球の数に応じて付与されるポイント等、遊技情報に基づいて算出されるポイントと、来店により付与されるポイントとがある。遊技ポイントを多く獲得した遊技者は、多くの特典を得ることができる。一方、遊技場は、遊技ポイントの量を遊技者の遊技場への貢献度の指標とすることができる。なお、どのポイントを何ポイント付与するかは、遊技場が設定できる。
【００４９】
これらのＣＰＵ３０１、ＲＯＭ３０２、ＲＡＭ３０３及びＨＤＤ３０４はバス３０５によって接続されている。このバス３０５はＣＰＵ３０１がデータの読み書きのために使用するアドレスバス及びデータバスから構成されている。
【００５０】
バス３０５には、外部との入出力を司るネットワーク通信ポート３０６、Ｉ／Ｏポート３０７及び外部ネットワーク通信ポート３０８が接続されている。
【００５１】
ネットワーク通信ポート３０６は、所定の通信プロトコルに従ってデータ通信を行うためのデータ入出力部であり、内部ネットワークと接続されている。
【００５２】
Ｉ／Ｏポート３０７には、会員端末８から収集した会員ＩＤや顧客管理装置３の稼動状態を表示するためのディスプレイ、及び、遊技機６ａの状態を報知するスピーカによって構成される出力装置３０９が接続される。また、Ｉ／Ｏポート３０７には、顧客管理装置３を操作するための入力装置（キーボード、マウス等）３１０が接続される。
【００５３】
外部ネットワーク通信ポート３０８は、所定の通信プロトコルに従ってデータ通信を行うためのデータ入出力部であり、遊技場の外部に設けられた外部ネットワークと接続されている。よって、顧客管理装置３は、外部ネットワークに接続された遊技場外部の機器と通信をすることができる。
【００５４】
遊技場内部管理装置１及び分煙管理装置２の構成において、顧客管理装置３と同一の構成については、その説明を省略する。これらの管理装置は、ネットワーク通信ポートを介して顧客管理装置３と通信を行う。なお、分煙管理装置２は、外部ネットワーク通信ポート３０８を備えないため、遊技場外部の機器と直接通信することができない。
【００５５】
図３は、本発明の実施の形態の個人情報テーブルの構成図であり、顧客管理装置３のＨＤＤ３０４に記憶される。
【００５６】
個人情報テーブルには、遊技場の会員として登録された遊技者の会員ＩＤと、分煙属性及び遊技ポイントとが関連付けて記録される。
【００５７】
会員ＩＤは、会員である各遊技者に一意に割り当てられた識別番号であって、会員ＩＤに基づいて一の遊技者が特定される。
【００５８】
分煙属性は、会員登録時に遊技者の申告によって決定される。例えば、会員ＩＤ××００１の遊技者は、いずれの分煙属性も記録されていない。この場合、会員ＩＤ××００１の遊技者は、会員登録時に分煙属性を申告していないと考えられる。また、会員ＩＤ××００２の遊技者の分煙属性は喫煙である。また、会員ＩＤ××００５の遊技者の分煙属性は嫌煙である。顧客管理装置３は、会員端末８から会員ＩＤを受信すると、当該会員ＩＤに対応する遊技者の分煙属性を読み出して、分煙管理装置２に送信する。
【００５９】
なお、個人情報テーブルに記録されている分煙属性と、遊技者の分煙受付スイッチ８０３の操作入力による顧客分煙属性とが異なる場合は、個人情報テーブルに記録されている分煙属性を、新たに入力された顧客分煙属性に更新してもよい。この場合、遊技者が分煙受付スイッチ８０３を操作する毎に分煙属性の更新をしてもよく、個人情報テーブルに記録されている分煙属性と異なる顧客分煙属性が所定回数、連続して入力された場合にのみ分煙属性を更新することとしてもよい。
【００６０】
また、会員カードに内蔵された記憶部に、会員である遊技者の分煙属性を記録してもよい。これにより、会員端末８が顧客管理装置３に会員ＩＤを送信することなく、会員端末８が会員カードを読み取った時点で、遊技者の分煙属性を特定できる。この場合、会員端末８は、読み取った遊技者の分煙属性を分煙管理装置２に送信する。
【００６１】
なお、会員カードに分煙属性を記録する場合、書換可能な印字表示部を会員カードに設けて、記憶部に記録されている分煙属性を遊技者に明示してもよい。
【００６２】
遊技ポイントは、遊技用装置６が出力する遊技情報に基づいて新たに付与されるポイントが遊技場内部管理装置１で算出され、顧客管理装置３に送信される。顧客管理装置３では、受信したポイントを、遊技者が現在有するポイントに加算する処理を行なう。なお、遊技場内部管理装置１から顧客管理装置３に遊技情報を送信し、顧客管理装置３が、遊技場内部管理装置１から受信した遊技情報に基づいて遊技ポイントを算出してもよい。
【００６３】
遊技ポイントは、前述のように遊技者の遊技場への貢献度の指標とすることができる。そこで、遊技ポイントの多い遊技者を優良顧客と認定して、遊技機６ａの台分煙属性の決定の際に、優良顧客の分煙属性を優先してもよい。
【００６４】
例えば、遊技ポイントを２００ポイント以上有している会員を優良顧客とすると、会員ＩＤ××００２の遊技者は、２５０ポイントの遊技ポイントを有しているため優良顧客と認められる。よって、顧客管理装置３は、会員ＩＤ××００２の遊技ポイント又は優良顧客である旨を分煙管理装置２に送信する。すると、分煙管理装置２は、分煙属性が喫煙の会員ＩＤ××００２の遊技者が着席した遊技機６ａの台分煙属性が既に禁煙に設定されていても、当該台分煙属性を喫煙に切り替える。
【００６５】
図４は、本発明の実施の形態の遊技機６ａ周辺のブロック図であり、遊技用装置６が出力する遊技情報を示す。
【００６６】
遊技機６ａに設けられた盤用外部情報から情報収集端末装置５のマイクロプロセッサのＩ／Ｏポートには、遊技に関わる信号（遊技情報）が入力される。
【００６７】
遊技機６ａは、始動入賞口へ遊技球が入賞する毎に、「始動入賞信号」を遊技情報として出力する。また、変動表示ゲーム（補助遊技）が開始すると、変動表示ゲームが開始される毎に「スタート信号」を遊技情報として出力する。
【００６８】
また、遊技機６ａは、変動表示ゲームの結果が特別遊技状態（大当り遊技）のときは、当該特別遊技状態中に「特賞信号」を遊技情報として出力する。
【００６９】
また、遊技機６ａは、始動入賞口、一般入賞口又は大入賞口に遊技球が入賞すると、入賞した入賞口の種類に応じた数の賞球を、排出装置から、遊技盤の下方に設けられた供給皿に排出する。そして、所定数の賞球を排出する毎に「賞球信号」（例えば、１０個で１パルスのパルス信号）を遊技情報として出力する。
【００７０】
また、遊技機６ａは、当該特別遊技状態が確変図柄による特別遊技のときは、当該特別遊技状態中、及び、その後発生する特定遊技状態（確率変動状態）中に、「確変信号」を遊技情報として出力する。
【００７１】
また、遊技機６ａの盤用外部情報から出力される信号（遊技情報）には、変動表示ゲームが終了したときに出力される「図柄確定信号」等がある。これらの信号は、盤用外部情報から、電圧出力形式又は接点出力形式で出力される。
【００７２】
なお、遊技情報を、遊技用マイクロコンピュータから情報収集端末装置５の通信ポートに対して出力してもよい。この場合、所定のプロトコルを用いたデータ通信（例えば、暗号化通信）によって通信内容を秘匿することで、盤用外部情報から出力するよりも詳細な遊技情報（例えば、始動記憶数や抽出した乱数値など）を出力することができる。また、双方向通信によって接続相手のＩＤの認証を行い、不正な機器との接続を防止することができる。
【００７３】
球貸ユニット６ｂは、所定数（例えば、２５個）の遊技球を貸し出す毎に「球貸信号」を遊技情報として出力する。なお、「球貸信号」は、遊技機６ａの盤用外部情報から出力してもよい。
【００７４】
これらの信号を受信した情報収集端末装置５は、これらの遊技情報を加算演算し、累積値を集計する。また、遊技情報の累積値を内部ネットワークに向けて送信してもよい。この累積値は、例えば、所定時間経過毎、特別遊技状態発生などのイベント時、又は、遊技場内部管理装置１からのポーリングの応答時に送信される。
【００７５】
また、遊技機６ａが設置される島設備には、遊技機６ａ（球貸ユニット６ｂから貸球が排出される場合は、遊技機６ａ及び球貸ユニット６ｂ）に遊技球を補給する補給路と、遊技機６ａからアウト球を回収する回収路とを備えた補給回収機構と、表示装置８１を備える会員端末８とが設けられている。
【００７６】
補給数計数装置６ｃは、遊技機６ａに補給された球数を計数する。回収数計数装置６ｄは、遊技機６ａから回収されたアウト球数、つまり、遊技者が遊技機６ａの遊技領域に発射した球数を計数する。補給数計数装置６ｃは補給球の計数結果である「補給信号」（例えば、１０個で１パルスのパルス信号）を遊技情報として出力する。回収球計数装置６ｄはアウト球の計数結果である「回収信号」（例えば、１０個で１パルスのパルス信号）を遊技情報として出力する。なお、補給数計数装置６ｃ及び回収数計数装置６ｄは、遊技機６ａに設けてもよい。
【００７７】
この補給数計数装置６ｃ及び回収数計数装置６ｄは情報収集端末装置５に接続されており、情報収集端末装置５が、補給数計数装置６ｃ及び回収数計数装置６ｄから出力される遊技情報を加算演算し、累積値を集計する。なお、情報収集端末装置５は、回収信号、補給信号、及び、球貸信号を遊技機６ａから直接収集してもよい。
【００７８】
会員端末８は、表示装置８１、操作パネル８２及びカード読取部８３を備えている。
【００７９】
表示装置８１は状態明示手段として機能し、例えば、ＬＣＤ（液晶表示器）又はＣＲＴ（ブラウン管）で表示部が構成されている。表示装置８１には、灰皿装置９が禁煙状態か喫煙状態か、遊技機６ａの台分煙属性、過去の稼動状況（スタート回数や大当り回数等）、各会員の遊技履歴又は遊技場から遊技者に通知される情報等が表示される。表示装置８１の表示については、図９（Ｂ）で後述する。
【００８０】
操作パネル８２は、遊技者の顧客分煙情報を入力可能な分煙受付スイッチ８０３等の操作スイッチによって構成されている。なお、操作パネル８２を表示装置８１と一体に設けたタッチパネルで構成してもよい。
【００８１】
遊技者の分煙受付スイッチ８０３の操作により顧客分煙属性が入力されると、当該顧客分煙属性は会員端末８から分煙管理装置２に送信される。なお、顧客分煙属性は、会員端末８から顧客管理装置３に出力されてもよい。この場合、顧客管理装置３から分煙管理装置２に遊技者の顧客分煙属性が送信される。
【００８２】
また、カード読取部８３で遊技者が保有する会員カードが読み取られると、会員端末８に備えられたカードリーダ／ライタ８０４（図９（Ａ））によって、読み取られた会員カードから会員ＩＤが特定される。会員ＩＤは、会員端末８から顧客管理装置３へ出力される。そして、当該会員ＩＤに基づいて、顧客管理装置３に記憶されている当該遊技者の個人情報が読み出される。この個人情報には、遊技者の分煙属性が含まれる。
【００８３】
なお、会員端末８にＩＣカード読取部を設け、ＩＣカード読取部に会員カードを近接させることによって、会員カードに内蔵された記憶部から会員ＩＤを読み取り、顧客管理装置３へ会員ＩＤを出力してもよい。この場合、ＩＣカード読取部によって会員ＩＤが読み取られた後、遊技者が遊技機６ａを占有している間、つまり、後述する有効時間タイマがタイムアップするまでは、読み取られた会員ＩＤによって特定された分煙属性は有効とする。
【００８４】
そして、遊技者が遊技機６ａを占有している状態で操作入力があった場合は、遊技者が分煙属性の希望を変更したか、又は、遊技者の交代があったと判断され、当該操作入力による顧客分煙属性が、後述する遊技者分煙属性として設定される。
【００８５】
また、遊技者が遊技機６ａを占有している状態で、他の遊技者の会員カードの会員ＩＤが読み取られた場合は、遊技者の交代があったと判断され、新たに受け付けられた分煙属性が遊技者分煙属性として設定される。
【００８６】
なお、顧客管理装置３が内部ネットワークに直接接続されていない場合は、会員端末８は、遊技場内部管理装置１へ会員ＩＤを出力し、その後、遊技場内部管理装置１から顧客管理装置３へ当該会員ＩＤが送信される。
【００８７】
そして、分煙受付スイッチ８０３の操作入力による顧客分煙属性又は会員カードから特定された分煙属性に基づいて、分煙管理装置２で遊技機６ａの台分煙属性が決定され、当該決定された台分煙属性に基づく分煙情報が分煙管理装置２から会員端末８に送信される。会員端末８は、受信した分煙情報に基づいて、灰皿装置９を制御する。
【００８８】
なお、本実施の形態の灰皿装置９は、煙草の吸殻を受け入れる灰皿として機能するほか、遊技機６ａが禁煙状態か喫煙状態かを表示する表示手段としても機能する。ただし、灰皿装置９を制御しないで、表示装置８１によって、遊技機６ａが禁煙状態か喫煙状態かを表示してもよい。
【００８９】
灰皿装置９は、膳板上の、球箱が載置される位置の横に設けられる。なお、ここで用いられる灰皿装置９は、禁煙状態と喫煙状態とに状態を切替可能な分煙用の灰皿である。遊技機６ａに既設の灰皿（禁煙状態と喫煙状態とに状態を切替不可能な灰皿）は、使用することができないようになっている。
【００９０】
図５は、本発明の実施の形態の遊技者分煙属性決定テーブル及び台分煙属性決定テーブルの構成図であり、分煙管理装置２のＲＡＭに記憶される。
【００９１】
図５（Ａ）は、遊技者分煙属性決定テーブルの構成図である。
【００９２】
遊技者分煙属性決定テーブルには、各遊技機６ａの台番号と、遊技者分煙属性、操作入力、会員カード及び有効時間とが関連付けて記録される。
【００９３】
「遊技者分煙属性」は、遊技機６ａで遊技する遊技者が希望する分煙属性（遊技者の意思情報）であって、操作入力及び会員カードに基づいて決定される。例えば、１番台では、操作入力がされておらず、かつ、会員カードが挿入されていないため、いずれの遊技者分煙属性も設定されていない。つまり、この場合、１番台には遊技者が着席していない（空席）か、又は、遊技者が分煙の意思表示をしていないと判断できる。また、２番台は、操作入力による顧客分煙属性が喫煙であるため、遊技者分煙属性は喫煙（喫煙意思情報）に設定される。また、５番台は、操作入力はされていないが、会員カードから特定された分煙属性が嫌煙であるため、遊技者分煙属性は嫌煙（嫌煙意思情報）に設定される。
【００９４】
なお、操作入力がされ、かつ、会員カードから分煙属性が特定された場合は、後述のように、操作入力で受け付けられた顧客分煙属性が会員ＩＤから特定される分煙属性に優先して遊技者分煙属性として設定される（図１１）。
【００９５】
「操作入力」には、遊技者が分煙受付スイッチ８０３を操作することによって入力される顧客分煙属性が記録される。遊技者が分煙受付スイッチ８０３によって喫煙と入力した場合は、「操作入力」に「喫煙」が記録される。遊技者が分煙受付スイッチ８０３によって嫌煙と入力した場合は、「操作入力」に「嫌煙」が記録される。
【００９６】
なお、遊技場の会員として登録していない遊技者（非会員の遊技者）は、会員カードを所有していないため、分煙受付スイッチ８０３の操作によってのみ希望する分煙属性（顧客分煙属性）を遊技場に送信することができる。この場合、当該非会員の遊技者が遊技機６ａを占有している間、当該遊技者が送信した顧客分煙属性は有効とする。遊技者が遊技機６ａを占有している状態で操作入力があった場合は、新たに受け付けられた分煙属性が「操作入力」に記録される。
【００９７】
「会員カード」には、会員である遊技者の個人情報として記録された分煙属性が記録される。遊技者が会員端末８に会員カードを挿入すると、当該会員カードから会員ＩＤが読み取られる。そして、当該会員ＩＤに基づいて顧客管理装置３に記憶された遊技者の個人情報が読み出され、当該会員ＩＤの遊技者の分煙属性が特定される。
【００９８】
遊技者の個人情報に記録された分煙属性が喫煙の場合は、「会員カード」に「喫煙」が記録される。遊技者の個人情報に記録された分煙属性が嫌煙の場合は、「会員カード」に「嫌煙」が記録される。遊技者が会員登録時に分煙属性を申告しておらず、遊技者の個人情報に分煙属性が記録されていない場合は、「会員カード」にはいずれの分煙属性も記録されない。
【００９９】
「有効時間」は、設定された遊技者分煙属性が有効な時間である。操作入力又は会員カードに基づいて遊技者分煙属性が喫煙又は嫌煙に設定されると、有効時間タイマが５分に設定される。なお、有効時間タイマは、分煙管理装置２のＲＡＭに設けられた記憶領域に一時的に記憶される。
【０１００】
その後、有効時間タイマがカウントダウンして０になると、操作入力及び会員カードに記録された顧客分煙属性又は分煙属性が無効（いずれの分煙属性も記録されていない状態）になる。その結果、操作入力及び会員カードに基づいて設定された遊技者分煙属性の設定が解除（無効）される。
【０１０１】
ただし、有効時間タイマは、遊技機６ａの稼動があった場合は、例えば５分に延長される。つまり、遊技機６ａが５分間継続して稼動しない場合にのみ、有効時間タイマがタイムアップして遊技者分煙属性の設定が解除され、遊技機６ａの稼動があり続ければ有効時間は所定のタイミングで延長される。分煙管理装置２は、遊技場内部管理装置１から送信される遊技用装置６の遊技情報に基づいて、各遊技機６ａが稼動しているか否かを判断する。
【０１０２】
また、有効時間タイマは、遊技者が遊技機６ａを占有する意思がある間は、当該遊技者が席を離れていても延長される。例えば、会員端末８に休憩ボタンを設け、遊技者は、休憩に入る際に休憩ボタンを操作することとする。休憩ボタンは、遊技場の係員によってのみ操作可能としてもよい。
【０１０３】
休憩ボタンが操作されると、休憩時間として認められた時間（例えば、３０分）だけ有効時間タイマが延長される。会員端末８は、遊技機６ａが稼動していなくても、休憩ボタンが操作されることによって、遊技者に当該遊技機６ａを占有する意思があることを確認できる。そして、休憩ボタンが操作された旨の情報は、会員端末８から顧客管理装置３に送信される。よって、顧客管理装置３においても、遊技者に遊技機６ａを占有する意思があることを確認できる。
【０１０４】
なお、特許請求の範囲における占有意思収集手段とは、遊技機６ａ毎の稼動情報を収集する稼動情報収集手段と、遊技者が遊技機６ａを占有する意思情報を収集する手段とを含む。そして、稼動情報収集手段によって稼動情報が所定時間収集されず、遊技機６ａで所定の稼動がないと判断された場合であって、かつ、遊技者が当該遊技機６ａを占有する意思情報が所定時間収集されない場合に、有効時間タイマがタイムアップして、当該遊技機６ａの遊技者分煙属性の設定が解除される。
【０１０５】
なお、休憩ボタンが操作されると、会員端末８から分煙管理装置２に休憩ボタンが操作された旨の情報が送信され、所定時間（例えば、３０分）だけ分煙管理装置２のＲＡＭ３０３に占有フラグ（遊技者に遊技機６ａを占有する意思があることを示すフラグ）が設定されるようにしてもよい。
【０１０６】
この占有フラグは、遊技場内部管理装置１又は顧客管理装置３のＲＡＭに設定されてもよい。遊技場内部管理装置１のＲＡＭに占有フラグが設定される場合は、占有フラグが設定されている間、遊技場内部管理装置１はその旨（遊技者が遊技機６ａを占有している旨）を示す信号を分煙管理装置２に送信する。分煙管理装置２は、当該信号を受信すると、遊技機６ａが稼動していると判断して、有効時間タイマを所定時間だけ延長する。
【０１０７】
なお、占有フラグは、一定の値（所定時間）に設定されるのではなく、会員端末８に休憩ボタン及び解除ボタンを設けて、解除ボタンが操作されることによって占有フラグの設定が解除される構成であってもよい。
【０１０８】
図５（Ｂ）は、台分煙属性決定テーブルの構成図である。
【０１０９】
台分煙属性設定テーブルには、各遊技機６ａの台番号と、台分煙属性、遊技者分煙属性、分煙設定、隣接台要求１及び隣接台要求２が関連付けて記録される。
【０１１０】
「台分煙属性」は、遊技者分煙属性、分煙設定、隣接台要求１及び隣接台要求２に基づいて決定される。例えば、１番台は、遊技者分煙属性がいずれの分煙属性にも設定されておらず、かつ、隣接台要求１及び隣接台要求２も設定されていないため、いずれの台分煙属性も設定されていない。なお、この場合、１番台は空席であるか、又は、遊技者が分煙の意思表示をしていないと判断できる。また、２番台は、遊技者分煙属性が喫煙であり、かつ、隣接台要求１及び隣接台要求２が設定されていないため、台分煙属性は喫煙に設定される。また、５番台は、遊技者分煙属性が嫌煙であり、かつ、隣接台要求１及び隣接台要求２が設定されていないため、台分煙属性は禁煙に設定される。
【０１１１】
ここで、５番台の台分煙属性が禁煙に設定されることによって、５番台の両隣の４番台及び６番台の隣接台要求（隣接台要求１又は隣接台要求２）が禁煙に設定され、同じく４番台及び６番台の台分煙属性が禁煙に設定される。なお、後述のように、４番台や６番台の台分煙属性が禁煙に設定された後に、これらの遊技機６ａで遊技者分煙属性が喫煙の遊技者が遊技を開始しても、隣接台要求１又は隣接台要求２が優先（設定時間の前後で判断）されるため、４番台及び６番台の台分煙属性は禁煙のままである（図１３）。
【０１１２】
一方、２番台の台分煙属性が喫煙に設定された後に、１番台又は３番台で遊技者分煙属性が嫌煙の遊技者が遊技を開始した場合、２番台の隣接台要求１は禁煙に設定されるが、遊技者分煙属性が優先されるため、２番台の台分煙属性は喫煙のままである（図１３）。つまり、遊技者分煙属性と、隣接台要求１及び隣接台要求２とは、早く設定された方が優先して台分煙属性として設定される。
【０１１３】
なお、台分煙属性は、遊技機６ａ毎に設定する必要はなく、島設備毎や遊技機６ａの機種毎に設定してもよい。例えば、一の島設備で遊技する遊技者の遊技者分煙属性に基づき、多数決で当該島設備の島分煙属性を決定してもよい。そして、設定された島分煙属性に応じて、島設備に備えられた吸殻回収装置（島設備単位で吸殻を回収する装置）の作動が、禁煙状態と喫煙状態とに切替制御される。
【０１１４】
「分煙設定」には、遊技場での分煙が有効か無効かが設定される。分煙設定が有効の場合は、上記のようにして、遊技者分煙属性、隣接台要求１及び隣接台要求２に基づいて台分煙属性が設定される。分煙設定が無効の場合は、遊技者分煙属性、隣接台要求１又は隣接台要求２が設定されていても、これらの分煙属性にかかわらず、いずれの遊技機６ａの台分煙属性も喫煙に設定される。分煙設定の設定処理については、図６〜８で後述する。
【０１１５】
なお、ここでは、分煙設定が有効の場合は喫煙者が制限を受けて（つまり、遊技場の一部で喫煙が不可能）、分煙設定が無効の場合は喫煙者は制限を受けない（つまり、遊技場全体で喫煙が可能）とする。ただし、逆に分煙設定が有効の場合は禁煙者が制限を受けて（つまり、遊技場の一部で喫煙が可能）、分煙設定が無効の場合は禁煙者は制限を受けない（つまり、遊技場全体で喫煙が不可能）としてもよい。
【０１１６】
なお、分煙設定は、所定時間間隔で有効と無効とが切り替えられてもよい。例えば、３０分毎に分煙設定を無効とすることで、台分煙属性が禁煙の遊技機６ａで遊技している喫煙者も、３０分毎に喫煙が許可される。また、嫌煙者が多数の場合には、有効の時間と無効の時間との間隔を変更して、例えば、４５分間だけ分煙設定を有効し、その後１５分間は分煙設定を無効にするなど、遊技者の意思を考慮して動的に制御するとよい。
【０１１７】
また、分煙設定が有効であっても、遊技者が一時的に席を離れた場合は、その間だけ隣接台要求を無効としてもよい。例えば、前述のように会員端末８に休憩ボタンを設け、遊技者は、休憩に入る際に休憩ボタンを操作することとする。このとき、当該休憩ボタンが操作された遊技機６ａの隣接台要求が一時的に無効となる。これによって、当該遊技機６ａに隣接する遊技機６ａの台分煙属性が禁煙で、かつ、遊技者分煙属性が喫煙の場合、当該隣接する遊技機６ａは一時的に喫煙が可能となる。ただし、喫煙が可能になるのは、当該隣接する遊技機６ａの、さらに反対側に隣接する遊技機６ａからの隣接台要求が禁煙に設定されておらず、又は、隣接台要求が禁煙に設定されていても、当該隣接台要求の設定時間が遊技者分煙属性が喫煙と設定された時刻よりも遅い場合に限られる。
【０１１８】
このとき、休憩ボタンが操作された遊技機６ａ、及び、喫煙が可能になった遊技機６ａの表示装置８１には、タイマがカウントダウンして表示される。また、喫煙が可能になった遊技機６ａの表示装置８１には、タイマがタイムアップするまで、喫煙可能な旨の表示がされる。
【０１１９】
これによって、隣接する遊技機６ａの台分煙属性が禁煙のため喫煙者に禁煙が強制されている場合であっても、当該喫煙者は、休憩ボタンが操作された遊技機６ａの遊技者が休憩に行っている間だけ喫煙が許可される。つまり、隣接台に遊技者分煙属性が嫌煙の遊技者がいないにもかかわらず、喫煙者に禁煙を強制することを防止できる。またこの場合、喫煙者は、表示装置８１に表示されたタイマによって喫煙が許可された時間を把握することができるため、休憩から戻ってきた隣接台の遊技者との間で問題が発生することを防止できる。
【０１２０】
「隣接台要求１」及び「隣接台要求２」には、隣接する遊技機６ａの遊技者分煙属性が嫌煙の場合に設定される。具体的には、隣接台要求１は、該当する遊技機６ａよりも一つ台番号の小さい遊技機６ａの遊技者分煙属性が嫌煙の場合に、禁煙に設定される。また、隣接台要求１は、該当する遊技機６ａよりも一つ台番号の大きい遊技機６ａの遊技者分煙属性が嫌煙の場合に、禁煙に設定される。なお、隣接台要求１及び隣接台要求２は禁煙にのみ設定される。つまり、隣接台の遊技者分煙属性が喫煙であっても隣接台要求１及び隣接台要求２が喫煙に設定されることはない。
【０１２１】
図６は、本発明の実施の形態の分煙設定切替処理１の説明図である。
【０１２２】
図６（Ａ）は、分煙設定切替処理１のフローチャートであり、分煙管理装置２のＣＰＵで実行される。分煙設定切替処理１では、分煙設定を日時に基づいて切り替える。
【０１２３】
分煙管理装置２のＣＰＵは、まず、分煙設定の更新時間であるか否かを判定する（Ｓ１１）。
【０１２４】
分煙設定の更新時間は、図６（Ｂ）の分煙設定時間割テーブルによって決定される。分煙設定時間割テーブルでは、平日と休日とを分けて、また、それぞれの一営業単位を三つの時間帯（１０：００〜１２：００、１２：００〜１７：００及び１７：００〜２３：００）に分けて、分煙設定が設定されている。分煙設定の更新時間は、分煙設定の有効と無効とが切り替えられる１０：００、１２：００及び１７：００である。
【０１２５】
よって、現在の時刻が１０：００、１２：００及び１７：００ではない場合は、分煙設定を更新する必要がないため、分煙設定切替処理１を終了する。一方、現在の時刻が１０：００、１２：００又は１７：００の場合は、分煙設定を更新するため、分煙設定時間割テーブルを、分煙管理装置２のＨＤＤ（分煙設定時間割記憶手段）から読み出す（Ｓ１２）。
【０１２６】
次に、遊技場内部管理装置１から日時情報を取得する（Ｓ１３）。ここで取得する日時情報は、本分煙設定切替処理１の実行時点における日付、曜日（営業日）及び時刻（営業時間）である。なお、このうち日付及び曜日は、平日又は休日の別が判別できる情報であれば足りる。
【０１２７】
次に、ステップＳ１２で読み出した分煙設定時間割テーブルとステップＳ１３で取得した日時情報とに基づいて、分煙設定が有効か無効かを決定する。具体的には、分煙設定時間割テーブルのうちステップＳ１３で取得した日時情報が該当するデータを読み出す。例えば、ステップＳ１３で取得した日時情報が平日の１４：３０の場合は、分煙設定は有効である。また、ステップＳ１３で取得した日時情報が休日の１８：４５の場合は、分煙設定は無効である。このようにして読み出された分煙設定を、台分煙属性決定テーブルに設定する（Ｓ１４）。
【０１２８】
このように、分煙設定を日時に基づいて設定することによって、例えば、午前中は、稼動率が低いため、開店前から遊技場に並んで遊技をしにくる常連客の分煙属性に対応することができ、一方、夕方は、稼動率が高いため、一見客やヘビーユーザーに配慮して自由に喫煙を許可することができる。つまり、遊技場の客層や見込まれる稼動に対応した分煙化が図れるため、商機を逃すことがなく、遊技場の利益と遊技者の利益との衡平を図ることができる。また、日時に応じて分煙設定の有効又は無効を切り替えることによって、嫌煙者は、分煙が有効なタイミングを狙って来店することで、満足のいく環境で遊技することができる。
【０１２９】
図７は、本発明の実施の形態の分煙設定切替処理２の説明図である。
【０１３０】
図７（Ａ）は、分煙設定切替処理２のフローチャートであり、分煙管理装置２のＣＰＵで実行される。分煙設定切替処理２は、分煙設定切替処理１の別の形態であって、分煙設定の有効又は無効を稼動率に基づいて切り替える。
【０１３１】
分煙管理装置２のＣＰＵは、まず、分煙設定の更新時間であるか否かを判定する（Ｓ２１）。
【０１３２】
分煙設定は、所定時間（例えば、１時間）毎に更新される。よって、現在の時刻が前回の更新時から所定時間経過していない場合は、分煙設定を更新する必要がないため、分煙設定切替処理１を終了する。一方、現在の時刻が前回の更新から所定時間経過している場合は、分煙設定を更新するため、図７（Ｂ）に示す稼動率対応分煙設定テーブルを分煙管理装置２のＨＤＤ（稼動対応分煙設定記憶手段）から読み出す（Ｓ２２）。稼動率対応分煙設定テーブルでは、稼動率が０％〜５０％未満の場合は分煙設定が有効に、稼動率が５０％〜１００％の場合は分煙設定が無効に設定されている。
【０１３３】
次に、遊技場内部管理装置１から稼動情報を取得する（Ｓ２３）。ここで取得する稼動情報は、本分煙設定切替処理２の実行時点における稼動率である。遊技機６ａが稼動しているか否かは、所定の監視時間内に所定量以上の稼動があるか否かを判断基準として判定する。例えば、本分煙設定切替処理２の実行時点から過去３分以内に１００発以上の回収球が検出された遊技機６ａを稼動有りと判定する。そして、稼動有りと判定された遊技機６ａの台数を、対象となる遊技機６ａ（例えば、遊技場に設置された全ての遊技機６ａ）の台数で除したものを稼動率とする。
【０１３４】
次に、ステップＳ２２で読み出した稼動率対応分煙設定テーブルとステップＳ２３で取得した稼動情報とに基づいて、分煙設定が有効か無効かを決定する。具体的には、稼動率対応分煙設定テーブルのうちステップ２３で算出された稼動率が該当するデータを読み出す。例えば、ステップ２３で算出された稼動率が２８％の場合は、分煙設定は無効である。また、ステップ２３で算出された稼動率が６２％の場合は、分煙設定は無効である。このようにして読み出された分煙設定を、台分煙属性決定テーブルに設定する（Ｓ２４）。
【０１３５】
このように、分煙設定を稼動率に基づいて設定することによって、例えば、稼動率の低い状態では、喫煙者は、遊技をしようとする遊技機６ａが禁煙に設定されていても、代替となる遊技機６ａを容易に見つけることができるため、分煙設定を有効にしても影響は少ない。一方、稼動率の高い状態では、遊技客の分煙属性よりも遊技場全体の営業効率を優先して、分煙設定を無効とする。つまり、稼動が低いときは遊技者の要望に重点が置かれ、稼動が高いときは遊技場の利益に重点が置かれるため、遊技場の利益と遊技者との利益の衡平を図ることができる。
【０１３６】
また、稼動情報として遊技場全体の稼動率ではなく、遊技機６ａの機種毎の稼動率に基づいて分煙設定の有効又は無効を切り替えてもよい。例えば、稼動率の低い機種の分煙設定を有効とする。つまり、稼動率が低い機種は、遊技者の要望に重点を置いた設定をし、稼動率が高い機種は、遊技場の利益に重点を置いた設定をすることで、遊技場の利益と遊技者の利益との衡平を図ることができる。
【０１３７】
また、機種毎に所定時間（例えば、過去一週間）の稼動量を算出して、稼動量が少ない機種のみ分煙設定を有効としてもよい。
【０１３８】
図８は、本発明の実施の形態の分煙設定テーブルの別の形態の構成図であり、分煙管理装置２のＨＤＤに記憶される。
【０１３９】
本形態では、分煙設定の有効又は無効を日時及び稼動率に基づいて切り替える。
【０１４０】
本形態の分煙設定テーブルでは、平日と休日とを分け、また、それぞれの一営業単位を三つの時間帯（１０：００〜１２：００、１２：００〜１７：００及び１７：００〜２３：００）に分けている。
【０１４１】
また、各時間帯に稼動率の閾値を設定する。そして、各時間帯において設定された稼動率に達するまで、分煙設定を有効とする。
【０１４２】
例えば、平日の１０：００〜１２：００は閾値が１００％に設定されているため、稼動率が１００％に達するまで分煙設定を有効とする。つまり、この場合、実質的に分煙設定は常に有効である。また、平日の１２：００〜１７：００及び休日の１０：００〜１２：００は閾値が７５％に設定されているため、稼動率が７５％に達するまで分煙設定を有効とする。この場合、稼動率が７５％以上になると、分煙設定が無効になる。
【０１４３】
なお、本形態の分煙設定テーブルを用いた分設定切替処理は、分煙管理装置２のＣＰＵで実行される。具体的な処理は、まず、本形態の分煙設定テーブルを分煙管理装置２のＨＤＤから読み出し、その後、本分煙設定切替処理実行時点の日時情報及び稼動情報を取得する。その後、本形態の分煙設定テーブルと取得した日時情報及び稼動情報とに基づいて、分煙設定を決定する。
【０１４４】
このように、分煙設定を日時情報及び稼動情報に基づいて設定することによって、分煙設定時間割テーブル又は稼動率対応分煙設定テーブルを用いて分煙設定を行った場合と比較して、よりきめ細かく遊技者の特性及び遊技場の営業効率に対応することができる。
【０１４５】
図９は、本発明の実施の形態の会員端末８の説明図である。
【０１４６】
図９（Ａ）は、会員端末８の構成を示すブロック図である。
【０１４７】
会員端末８には、ＣＰＵ８０１、ドライバ８０２、表示装置８１、分煙受付スイッチ８０３、カードリーダ／ライタ８０４及び通信インターフェース８０５が設けられている。表示装置８１、分煙受付スイッチ８０３及びカードリーダ／ライタ８０４は、ドライバ８０２によってＣＰＵ８０１と接続されている。
【０１４８】
分煙受付スイッチ８０３は、操作パネル８２に設けられた操作スイッチであって、操作によって顧客分煙属性がＣＰＵ８０１に入力される。
【０１４９】
カードリーダ／ライタ８０４は、カード読取部８３に挿入された会員カードから会員ＩＤを読み出す。読み出された会員ＩＤは、情報収集端末装置５を介して顧客管理装置３に送信され、当該会員ＩＤと対応する遊技者の個人情報が特定される。
【０１５０】
また、遊技者が遊技を通じて遊技ポイントを獲得すると、顧客管理装置３から会員端末８に遊技ポイントの加算データが送信される。そして、カードリーダ／ライタ８０４は、当該データを会員カードに記憶されている遊技ポイントに加算して書き込む。
【０１５１】
通信インターフェース８０５は、ＣＰＵ８０１と、外部に接続された情報収集端末装置５及び灰皿装置９とのデータの入出力を司る。分煙受付スイッチ８０３の操作入力又はカードリーダ／ライタ８０４によって会員カードが挿入されると、顧客分煙属性や会員ＩＤが情報収集端末装置５を通じて内部ネットワークに送信される。また、分煙管理装置２から情報収集端末装置５を介して分煙情報が入力されると、表示装置８１に所定の表示（図９（Ｂ）〜（Ｄ））が出力される。また、分煙管理装置２から入力された分煙情報に基づいて、ＣＰＵ８０１は、灰皿装置９の動作を制御する。
【０１５２】
図９（Ｂ）〜（Ｄ）は、会員端末８の表示装置８１の構成図である。
【０１５３】
遊技機６ａの台分煙属性が禁煙に設定され、分煙管理装置２から会員端末８に分煙情報が入力されると、表示装置８１には、遊技機６ａは禁煙席である旨及び「この席での喫煙はご遠慮ください」の文字が表示される。
【０１５４】
遊技機６ａの台分煙属性が喫煙に設定され、分煙管理装置２から会員端末８に分煙情報が入力されると、表示装置８１には、遊技機６ａは喫煙席である旨及び「喫煙できます」の文字が表示される。
【０１５５】
分煙管理装置２から分煙情報の入力がない場合、つまり、遊技機６ａの台分煙属性が設定されていない場合は、表示装置８１には「分煙区別受付中」の文字が表示される。
【０１５６】
これらの表示によって、灰皿装置９が禁煙状態か喫煙状態か（遊技機６ａの台分煙属性が禁煙か喫煙か）が表示装置８１に遊技者に明示される。
【０１５７】
なお、これらの台分煙属性は、文字で表示する必要はなく、記号又は画像で表示してもよい。
【０１５８】
図１０は、本発明の実施の形態の灰皿装置９の説明図である。
【０１５９】
図１０（Ａ）は、灰皿装置９の構成を示すブロック図である。
【０１６０】
灰皿装置９には、ＣＰＵ９０１、ドライバ９０２、通信インターフェース９０３、蓋部９１を開閉させるモータ９０４及び蓋部９１の状態を検出する蓋センサ９０５が設けられている。モータ９０４及び蓋センサ９０５は、ドライバ９０２によってＣＰＵ９０１と接続されている。
【０１６１】
通信インターフェース９０３は、ＣＰＵ９０１と、外部に接続された会員端末８とのデータの入出力を司る。会員端末８から、蓋部９１を開状態に切り替える制御信号が入力されると、ＣＰＵ９０１はモータ９０４を動作させて、蓋部９１を開放させる。また、会員端末８から、蓋部９１を閉状態に切り替える制御信号が入力されると、ＣＰＵ９０１はモータ９０４を動作させて、蓋部９１を閉鎖させる。
【０１６２】
つまり、蓋部９１は、従業員又は遊技者の手動ではなく、モータ９０４によって自動開閉される。ただし、蓋部９１は遊技者が手動によって開閉することもできる。分煙管理装置２は、遊技者が手動で蓋部９１を閉鎖させることで、蓋センサ９０５から検出信号が送信されると、当該検出信号に基づいて遊技者の分煙属性が嫌煙であると判断することもできる。ここで決定された分煙属性は、遊技者分煙属性の決定の際に、分煙受付スイッチ８０３の操作入力による顧客分煙属性より優先して考慮してもよい。
【０１６３】
蓋センサ９０５は、閉鎖された蓋部９１と皿部９２との接触位置に設けられる。蓋センサ９０５は、蓋部９１が閉状態又は開状態であることを検出できれば、機械式センサでも光センサでもよい。会員端末８は、蓋部９１が閉鎖されると蓋センサ９０５から出力される検出信号によって、蓋部９１が閉状態であることを把握することができる。
【０１６４】
図１０（Ｂ）は、蓋部９１が閉状態（禁煙状態）の灰皿装置９の構造図である。
【０１６５】
灰皿装置９は、上縁に煙草を固定するための切欠を有する有底円筒状の皿部９２、及び、皿部９２の上面を覆う蓋部９１によって構成される。蓋部９１は、皿部９２の上縁に固定された一の半円部と、モータ９０４によって上下に回動可能な他の半円部とからなる。蓋部９１の他の半円部の上面には、「禁煙」の文字が表示されている。当該表示は、蓋部９１が開状態のときは遊技者に視認不可能であり、蓋部９１が閉状態のときは遊技者に視認可能であって禁煙状態である旨を報知することができる。
【０１６６】
灰皿装置９が設けられた遊技機６ａの台分煙属性が禁煙に設定されると、分煙管理装置２から当該遊技機６ａに接続された会員端末８に、蓋部９１を閉状態に切り替える制御信号が送信される。ＣＰＵ９０１は、当該制御信号を受信すると、モータ９０４を動作させて蓋部９１を閉鎖させる。これによって、灰皿装置９は禁煙状態になり、また、蓋部９１の上面に表示された「禁煙」の文字によって、遊技者に遊技機６ａが禁煙席であることが報知される。なお、このとき蓋センサ９０５はオンであって、表示装置８１には遊技機６ａが禁煙席である旨の表示がされる。
【０１６７】
灰皿装置９が設けられた遊技機６ａの台分煙属性が喫煙に設定されると、分煙管理装置２から当該遊技機６ａに接続された会員端末８に、蓋部９１を開状態に切り替える制御信号が送信される。ＣＰＵ９０１は、当該制御信号を受信すると、モータ９０４を動作させて蓋部９１を開放させる。これによって、灰皿装置９は喫煙状態になり、また、蓋部９１の上面に表示された「禁煙」の文字は遊技者に視認不可能になる。なお、このとき蓋センサ９０５はオフであって、表示装置８１には遊技機６ａが喫煙席である旨の表示がされる。
【０１６８】
灰皿装置９が設けられた遊技機６ａが分煙区別受付状態の場合も、蓋部９１は開状態に設定される。このとき同時に表示装置８１には、「分煙区別受付中」の文字が表示される。
【０１６９】
図１１は、本発明の実施の形態の遊技者分煙属性設定処理のフローチャートであり、分煙管理装置２のＣＰＵで実行される。
【０１７０】
分煙管理装置２のＣＰＵは、まず、分煙受付スイッチ８０３の操作による顧客分煙属性の入力があったか否かを判定する（Ｓ３１）。顧客分煙属性の入力があった場合は、当該顧客分煙属性が優先されて遊技者分煙属性として設定されるため、会員カードによる分煙属性を判定（Ｓ３２〜Ｓ３４）することなくステップＳ３５に移行する。
【０１７１】
顧客分煙属性の入力がない場合は、会員端末８のカード読取部８３に会員カードが挿入されたか否かを判定する（Ｓ３２）。カード読取部８３に会員カードが挿入されていない場合は、操作入力もなく、かつ、会員カードも挿入されていないため、遊技者分煙属性は設定されない。よって、ステップＳ３１に戻る。
【０１７２】
カード読取部８３に会員カードが挿入された場合は、挿入された会員カードから読み出された会員ＩＤが顧客管理装置３に送信されるので、分煙管理装置２のＣＰＵは、当該会員ＩＤに基づいて特定される遊技者の分煙属性を顧客管理装置３に問い合わせる（Ｓ３３）。
【０１７３】
次に、遊技者の分煙属性があるか否かを判定する（Ｓ３４）。つまり、会員ＩＤに基づいて特定された遊技者の個人情報として分煙属性が記録されているか否かを判定する。個人情報として分煙属性が記録されていない場合は、操作入力もなく、かつ、会員カードからも分煙属性が特定されないため、遊技者分煙属性は設定されない。よって、ステップＳ３１に戻る。
【０１７４】
一方、個人情報として分煙属性が記録されている場合は、当該分煙属性が喫煙か嫌煙かを判定する（Ｓ３５）。分煙属性が喫煙の場合は、遊技者分煙属性を喫煙に設定する（Ｓ３６）。一方、分煙属性が嫌煙の場合は、遊技者分煙属性を嫌煙に設定する（Ｓ３７）。
【０１７５】
ステップＳ３６又はＳ３７で遊技者分煙属性が設定されると、有効時間タイマを設定する（Ｓ３８）。その後、遊技者分煙属性設定処理を終了する。
【０１７６】
このように、遊技者分煙属性は、会員カードよりも操作入力を優先して決定される。これによって、例えば、遊技者は、会員登録時の個人情報として分煙属性を喫煙に登録したとしても、体調が悪い日は操作入力により顧客分煙属性を嫌煙とすることによって、遊技機６ａにはその時々に応じた遊技者分煙属性が設定される。
【０１７７】
なお、遊技者分煙属性設定処理は、分煙管理装置２のＣＰＵで実行してもよい。この場合、遊技場内に設置された全ての遊技機６ａの遊技者分煙属性を、分煙管理装置２で判定する。また、遊技者分煙属性処理は、各遊技機６ａに設けられた会員端末８のＣＰＵ８０１で分散して実行してもよい。この場合、各会員端末８は、対応する遊技機６ａの遊技者分煙属性を決定し、当該決定した遊技者分煙属性を分煙管理装置２に送信する。分煙管理装置２は、会員端末８から遊技機６ａの遊技者分煙属性を受信すると、有効時間タイマを設定して当該遊技者分煙属性の有効時間を管理する。
【０１７８】
図１２は、本発明の実施の形態の属性有効時間更新処理のフローチャートであり、分煙管理装置２のＣＰＵで実行される。
【０１７９】
分煙管理装置２のＣＰＵは、まず、遊技者分煙属性設定処理のステップＳ３８で設定した有効時間タイマがタイムアップしたか否かを判定する（Ｓ４１）。なお、図５（Ａ）では有効時間タイマの初期設定値を５分に設定するが、当該初期設定値は５分に限られない。
【０１８０】
有効時間タイマがタイムアップしていない場合は、設定された遊技者分煙属性は有効であるため、属性有効時間更新処理を終了する。
【０１８１】
有効時間タイマがタイムアップしている場合は、有効時間中（有効時間タイマが稼動している５分間）、遊技機６ａが遊技者に占有されていたか否かを判定する（Ｓ４２）。遊技機６ａは、稼動があった場合、及び、分煙管理装置２のＲＡＭ３０３に占有フラグが設定されている場合に、遊技者に占有されていると判断できる。
【０１８２】
なお、遊技機６ａの稼動の有無は、遊技場内部管理装置１から取得する各遊技機６ａの稼動情報に基づいて判断する。ここで取得する稼動情報は、各遊技機６ａの稼動量である。具体的には、分煙管理装置２は、所定のタイミングで遊技場内部管理装置１に、遊技用装置６の遊技情報又は遊技情報の累積値の送信を要求して、前回受信した情報と今回受信した情報とを比較する。そして、両者の値に差がある場合は、遊技機６ａは稼動していると判断する。なお、遊技場内部管理装置１が分煙管理装置２に、遊技用装置６の遊技情報又は遊技情報の累積値を、所定のタイミングで送信してもよい。
【０１８３】
また、遊技情報又は遊技情報の累積値に変化が発生した場合に、遊技場内部管理装置１が分煙管理装置２に、当該遊技情報又は遊技情報の累積値を送信してもよい。また、遊技場内部管理装置１は分煙管理装置２に、遊技情報又は遊技情報の累積値の代わりに、遊技機６ａの稼動があることを示す信号を送信してもよい。分煙管理装置２は、遊技場内部管理装置１から所定期間内に、遊技情報、遊技情報の累積値又は遊技機６ａの稼動があることを示す信号を受信すると、遊技機６ａは稼動していると判断する。
【０１８４】
有効時間中に遊技者による遊技機６ａの占有があった場合は、有効時間タイマを初期設定値である５分に再設定する（Ｓ４３）。これによって、遊技者分煙属性の有効時間がさらに５分間確保される。その後、属性有効時間更新処理を終了する。
【０１８５】
有効時間中に遊技者による遊技機６ａの占有がなかった場合は、当該遊技機６ａで操作入力又は会員カードを挿入した遊技者が、席の移動等によって遊技を終了したと判断できるため、遊技機６ａに設定された遊技者分煙属性を解除する（Ｓ４４）。このとき同時に、表示装置８１の表示を「分煙区別受付中」に変更する信号が会員端末８に送信される。その後、属性有効時間更新処理を終了する。
【０１８６】
このように、遊技者分煙属性が設定されてから一定時間、遊技者による遊技機６ａの占有がない場合は、当該遊技者分煙属性の設定を解除することによって、いったん設定された遊技者分煙属性が、遊技が終了した後も喫煙又は禁煙に設定され、他の遊技者が当該遊技機６ａに寄り付かなくなることによる稼動の低下を防止できる。また、遊技場の稼動に貢献する遊技者にのみ、分煙の利益を享受させることができる。
【０１８７】
なお、遊技者分煙属性設定処理と同様に、属性有効時間更新処理は、分煙管理装置２のＣＰＵで、遊技場内に設置された全ての遊技機６ａについて一括して実行してもよく、各遊技機６ａに設けられた会員端末８のＣＰＵ８０１で分散して処理してもよい。この場合、有効時間中に遊技者による遊技機６ａの占有がなかったときは、各会員端末８はその旨の情報を分煙管理装置２に送信し、分煙管理装置２において、当該遊技機６ａの遊技者分煙属性の設定が解除される。
【０１８８】
図１３は、本発明の実施の形態の台分煙属性設定処理のフローチャートであり、分煙管理装置２のＣＰＵで実行される。
【０１８９】
分煙管理装置２のＣＰＵは、まず、分煙設定が有効か否かを判定する（Ｓ５１）。分煙設定が有効か否かは、分煙設定切替処理１又は分煙設定切替処理２によって設定される。
【０１９０】
分煙設定が有効ではない、つまり分煙設定が無効の場合は、台分煙属性は、遊技者分煙属性や隣接台要求１、隣接台要求２にかかわらず全て喫煙又は禁煙に設定される。よって、台分煙属性を設定することなく台分煙属性設定処理を終了する。
【０１９１】
分煙設定が有効の場合は、隣接台からの禁煙要求があるか否か、つまり、左右いずれかの隣接台の台分煙属性が禁煙に設定されたか否かを判定する（Ｓ５２）。左右いずれの隣接台の台分煙属性も禁煙ではない場合は、隣接台要求１又は隣接台要求２の設定を解除（隣接台要求１又は隣接台要求２にいずれの分煙属性も設定されていない場合はそのまま）する（Ｓ５３）。
【０１９２】
次に、遊技者分煙属性が設定されているか否かを判定する（Ｓ５４）。遊技者分煙属性が設定されていない場合は、ステップＳ５３で隣接台要求１及び隣接台要求２の設定もされていないため、対応する遊技機６ａは空席か、又は、遊技者が分煙の意思表示をしていないと判断できる。よって、台分煙属性を設定することなく台分煙属性設定処理を終了する。
【０１９３】
一方、遊技者分煙属性が設定されている場合は、当該遊技者分煙属性が喫煙か嫌煙かを判定する（Ｓ５５）。遊技者分煙属性が喫煙の場合は、台分煙属性を喫煙に設定する（Ｓ５６）。なお、この場合、隣接台要求１及び隣接台要求２は設定されていないため、遊技者分煙属性が優先されて台分煙属性に設定される。
【０１９４】
一方、遊技者分煙属性が嫌煙の場合は、ステップＳ６１に移行する。
【０１９５】
ステップＳ５２で、左右いずれかの隣接台の台分煙属性が禁煙の場合は、当該隣接台から禁煙が要求されていると判断して、対応する隣接台要求（隣接台要求１又は隣接台要求２）を禁煙に設定する（Ｓ５７）。
【０１９６】
次に、遊技者分煙属性が設定されているか否かを判定する（Ｓ５８）。遊技者分煙属性が設定されていない場合は、隣接台要求が優先されて、遊技機６ａの台分煙属性が禁煙に設定される（Ｓ６２）。その後、台分煙属性処理を終了する。
【０１９７】
遊技者分煙属性が設定されている場合は、当該遊技者分煙属性が喫煙か嫌煙かを判定する（Ｓ５９）。遊技者分煙属性が喫煙の場合は、既に設定されている隣接台要求と比較して、設定された時間が早い方の分煙属性を台分煙属性として設定する（Ｓ６０）。これによって、例えば、既に隣接台要求が禁煙に設定されている遊技機６ａに、その後喫煙者である遊技者が着席しても、喫煙者の遊技者分煙属性（喫煙）は採用されず、台分煙属性は禁煙に設定される。つまり、喫煙者である６番台の遊技者には禁煙が強制され、隣接台で遊技する遊技者（嫌煙者）の意思が尊重される。一方、隣接台からの要求がされていない遊技機６ａで、遊技者分煙属性が喫煙の遊技者が遊技をしている場合は、その後嫌煙者である遊技者が隣接台で遊技を開始しても、当該嫌煙者からの隣接台要求（禁煙）は採用されない。つまり、当該嫌煙者は、前記喫煙者に禁煙を要求することはできず、先に遊技を開始している隣接台の遊技者（喫煙者）の意思が尊重される。
【０１９８】
ステップＳ５９で、遊技者分煙属性が嫌煙の場合は、隣接台に禁煙を要求、つまり、隣接台の隣接台要求（隣接台要求１又は隣接台要求２）に禁煙が設定される（Ｓ６１）。また、同時に遊技機６ａの台分煙属性が禁煙に設定される（Ｓ６２）。その後、台分煙属性設定処理を終了する。
【０１９９】
なお、隣接台への禁煙の要求は、隣接する左右それぞれ一つの遊技機６ａに対して要求する必要はなく、例えば、遊技機６ａの右手に空調設備が設置され、風向きが右手から左手に流れている場合は、右隣の遊技機６ａには禁煙を要求しないで、左隣の遊技機６ａにのみ禁煙を要求してもよい。
【０２００】
このように、各遊技者の意思に基づいて台分煙属性を動的に設定することによって、喫煙者及び嫌煙者の双方に遊技機６ａを選択する自由が与えられるため、遊技場の稼動を低下させることなく、喫煙者及び嫌煙者の双方の要望に応えた分煙化を図ることができる。また、嫌煙者の要望に応えることによって、従来遊技場から足を遠ざけていた嫌煙者を新たな顧客として開拓することができ、稼動を向上させることができる。
【０２０１】
図１４は、本発明の実施の形態の台分煙属性設定の説明図である。
【０２０２】
島設備１００には、台番号１〜８の合計八台の遊技機６ａが設置されている。図１４（Ａ）〜（Ｄ）は、島設備１００を上方からみた説明図である。黒色で表示された遊技機６ａは、台分煙属性が喫煙に設定された遊技機６ａ（喫煙席）である。斜線で表示された遊技機６ａは、台分煙属性が禁煙に設定された遊技機６ａ（禁煙席）である。白色で表示された遊技機６ａは、台分煙属性が設定されていない遊技機６ａ、つまり「分煙区別受付中」の遊技機６ａである。
【０２０３】
また、黒丸は、分煙属性が喫煙の遊技者（喫煙者）である。白丸は、分煙属性が嫌煙の遊技者（嫌煙者）である。ここでは、喫煙者である遊技者Ｂ、Ｃ、Ｅ及びＦと、嫌煙者である遊技者Ａ及びＤとが、１〜８番台の遊技機６ａでそれぞれ遊技する場合の台分煙属性の設定について説明する。なお、分煙設定は有効であるものとする。
【０２０４】
図１４（Ａ）では、いずれの遊技機６ａも分煙区別受付中である。そして、遊技者Ａが４番台で遊技を開始する。
【０２０５】
このとき、遊技者Ａ（嫌煙者）が会員端末８に挿入した会員カード、又は、分煙受付スイッチ８０３の操作入力によって、４番台の遊技者分煙属性が嫌煙に設定される（Ｓ３７）。すると、隣接する３番台及び５番台の隣接台要求（隣接台要求１又は隣接台要求２）が禁煙に設定され（Ｓ５７）、また、３番台及び５番台の台分煙属性が禁煙に設定される（Ｓ６２）。そして、同時に４番台の台分煙属性が禁煙に設定される（Ｓ６２）。これによって、嫌煙者である遊技者Ａの両隣の遊技機６ａの禁煙が確保される。図１４（Ｂ）は、３〜５番台の台分煙属性が禁煙に設定された状態を示す。
【０２０６】
その後、遊技者Ｂ及びＣが来店し、このうち遊技者Ｂ（喫煙者）は、分煙区別受付中である７番台で遊技を開始する。そして、遊技者Ｂの会員カード又は操作入力によって、７番台の台分煙属性が喫煙に設定される（Ｓ５６、図１４（Ｃ））。
【０２０７】
一方、遊技者Ｃ（喫煙者）は、３番台で遊技を開始しようとするが、表示装置８１又は灰皿装置９の蓋部９１の表示によって、当該遊技機６ａは禁煙席であることを確認できる。よって、３番台での遊技を諦め、分煙区別受付中の２番台で遊技を開始する。これによって、２番台の台分煙属性が喫煙に設定される（Ｓ５６、図１４（Ｃ））。
【０２０８】
その後、遊技者Ｄ及びＥが来店し、このうち遊技者Ｄ（嫌煙者）は、分煙区別受付中である６番台で遊技を開始する。そして、遊技者Ｄの会員カード、又は、操作入力によって、６番台の遊技者分煙属性が嫌煙に設定される（Ｓ３７）。すると、隣接する５番台及び７番台の隣接台要求（隣接台要求１又は隣接台要求２）が禁煙に設定される（Ｓ５７）。しかし、７番台は既に遊技者分煙属性が喫煙に設定されているため、６番台からの隣接台要求は７番台の台分煙属性として採用されない（Ｓ６０）。つまり、遊技者Ｄは嫌煙者であるにもかかわらず、隣接台で遊技する遊技者Ｂに禁煙を要求することができない。
【０２０９】
一方、５番台は既に台分煙属性が禁煙に設定されているため、設定はそのまま維持される。そして、６番台の台分煙属性が禁煙に設定される（Ｓ６２、図１４（Ｄ））。
【０２１０】
遊技者Ｅ（喫煙者）は、５番台で遊技を開始しようとするが、表示装置８１又は灰皿装置９の蓋部９１の表示によって、当該遊技機６ａが禁煙席であることを確認できる。しかし、代替となる席がない場合や、当該遊技機６ａでの遊技を強く希望する場合は、禁煙席であることを承知して当該遊技機６ａで遊技する必要がある。つまり、喫煙者である遊技者Ｅが５番台で遊技する場合は、当該遊技機６ａの台分煙属性の設定が解除されるまで禁煙が強制される。
【０２１１】
図１５は、本発明の実施の形態の台分煙属性設定解除の説明図である。
【０２１２】
図１５（Ａ）は、遊技者Ａ〜Ｅが各遊技機６ａに着席しており、３〜６番台の台分煙属性は禁煙に設定され、２番台及び７番台の台分煙属性は喫煙に設定された状態を示す。
【０２１３】
図１５（Ｂ）では、遊技者Ａ（禁煙者）が４番台から１番台に移動している。遊技者Ａが席を移動することによって、分煙区別受付中の１番台の台分煙属性が禁煙に設定される（Ｓ６２）。ただし、隣接する２番台は遊技者分煙属性が既に喫煙に設定されているため、１番台による隣接台要求は採用されず、２番台の台分煙属性は喫煙のままである。
【０２１４】
一方、遊技者Ａが４番台から移動することによって、隣接する３番台及び５番台の隣接台要求の設定が解除され、同時に、３番台の台分煙属性の設定が解除される。ただし、５番台は、６番台からの隣接台要求によって台分煙属性が禁煙に設定されているため、遊技者Ａが席を移動した後も、６番台で遊技する遊技者Ｄが席を移動しない限り、台分煙属性の設定は解除されない。
【０２１５】
そして、遊技者Ａが１番台へ席を移動してから、４番台が占有されていない状態が５分以上継続すると、４番台の台分煙属性の設定が解除される。つまり、遊技者Ａが席を移動することによって、３番台及び４番台が分煙区別受付中となり、１番台の台分煙属性が禁煙に設定される。そして、５番台の台分煙属性は禁煙のまま維持される。
【０２１６】
また、図１５（Ｂ）では、遊技者Ｂが７番台での遊技を終了して退店する。よって、遊技者Ｂが遊技を終了してから５分間占有がないと、７番台の遊技者分煙属性の設定が解除され、同時に、７番台の台分煙属性の設定が解除される。その後、６番台からの隣接台要求によって、７番台の台分煙属性は禁煙に設定される（Ｓ６２）。
【０２１７】
図１５（Ｃ）では、遊技者Ｄが６番台での遊技を終了して退店する。よって、遊技者Ｄが遊技を終了してから５分間占有がないと、６番台の遊技者分煙属性の設定が解除され、同時に、６番台の台分煙属性の設定が解除される。また同時に、隣接する５番台及び７番台の隣接台要求の設定が解除される。ここで、７番台では遊技者Ｅ（喫煙者）が遊技を継続しているため、遊技者Ｅの遊技者分煙属性によって５番台の台分煙属性は喫煙に設定される。つまり、遊技者Ｄが退店することによって、５番台の台分煙属性が喫煙に設定され、６番台及び７番台が分煙区別受付中になる。これによって、５番台での遊技者Ｅの喫煙が許可される。
【０２１８】
以上のような遊技管理システムは、遊技者の意思に基づいて各遊技機６ａに対して台分煙属性を設定する場合に限られず、例えば、性別や年齢、会員又は非会員などの属性に基づいて各遊技機６ａに属性を設定し、各遊技機６ａの遊技条件を動的に切替制御する場合にも利用することができる。
【０２１９】
図１６は、本発明の実施の形態の台間エアカーテン制御処理の説明図である。
【０２２０】
図１６（Ａ）は、台間エアカーテン１５の構成図である。
【０２２１】
島設備には、複数の遊技機６ａが並設されている。各遊技機６ａの間には、エアカーテン１５が設けられている。なお、図１６（Ａ）では図示を省略するが、遊技機６ａには、球貸ユニット６ｂ及び会員端末８が併設されている。
【０２２２】
エアカーテン１５は、図示しない吸込口及び吹出口が備えられている。そして、吸込口から吸入した空気を、前面に設けられた吹出口から前方（遊技機６ａに対して遊技者が遊技する側）へ排出する。この吹出口から排出された空気の流れによって、エアカーテン１５を中心として隣り合う遊技機６ａ間の空気の行き来を遮断することができる。
【０２２３】
なお、エアカーテン１５は、情報収集端末装置５に接続されており、分煙管理装置２によって送風が制御されている。
【０２２４】
図１６（Ｂ）は、台間エアカーテン制御処理のフローチャートであり、分煙管理装置２のＣＰＵで実行される。
【０２２５】
分煙管理装置２は、まず、エアカーテン１５の左に設置された遊技機６ａと右に設置された遊技機６ａのそれぞれの台分煙属性を読み出す（Ｓ７１）。そして、当該読み出された左の遊技機６ａの台分煙属性と右の遊技機６ａの台分煙属性とが一致するか否かを判定する（Ｓ７２）。
【０２２６】
両者が一致する場合は、間に設けられたエアカーテン１５の運転を休止する（Ｓ７３）。一方、両者が一致しない場合は、間に設けられたエアカーテン１５を運転させる（Ｓ７４）。
【０２２７】
図１６（Ｃ）は、台間エアカーテン制御の説明図である。
【０２２８】
島設備１００には、台番号１〜８の８台の遊技機６ａが設置されている。また、各遊技機６ａの間には、それぞれエアカーテン１５Ａ〜１５Ｇが設けられている。ここでは、喫煙者又は嫌煙者である遊技者Ａ〜Ｆが各遊技機６ａで遊技することによって、２、７及び８番台の台分煙属性が喫煙に設定され、３〜５番台の台分煙属性が禁煙に設定されている。
【０２２９】
エアカーテン１５Ａは、左の遊技機６ａ（１番台）の台分煙属性（分煙区別受付中）と、右の遊技機６ａ（２番台）の台分煙属性（喫煙）とが一致しないため、分煙管理装置２によって運転制御される。
【０２３０】
エアカーテン１５Ｂは、左の遊技機６ａ（２番台）の台分煙属性（喫煙）と、右の遊技機６ａ（３番台）の台分煙属性（禁煙）とが一致しないため、分煙管理装置２によって運転制御される。
【０２３１】
エアカーテン１５Ｃは、左の遊技機６ａ（３番台）の台分煙属性（禁煙）と、右の遊技機６ａ（４番台）の台分煙属性（禁煙）とが一致するため、分煙管理装置２によって休止制御される。
【０２３２】
エアカーテン１５Ｄは、左の遊技機６ａ（４番台）の台分煙属性（禁煙）と、右の遊技機６ａ（５番台）の台分煙属性（禁煙）とが一致するため、分煙管理装置２によって休止制御される。
【０２３３】
エアカーテン１５Ｅは、左の遊技機６ａ（５番台）の台分煙属性（禁煙）と、右の遊技機６ａ（６番台）の台分煙属性（禁煙）とが一致するため、分煙管理装置２によって休止制御される。
【０２３４】
エアカーテン１５Ｆは、左の遊技機６ａ（６番台）の台分煙属性（禁煙）と、右の遊技機６ａ（７番台）の台分煙属性（喫煙）とが一致しないため、分煙管理装置２によって運転制御される。
【０２３５】
エアカーテン１５Ｇは、左の遊技機６ａ（７番台）の台分煙属性（喫煙）と、右の遊技機６ａ（８番台）の台分煙属性（喫煙）とが一致するため、分煙管理装置２によって休止制御される。
【０２３６】
このように、台分煙属性の異なる遊技機６ａ同士の間のエアカーテン１５を運転することによって、喫煙席と禁煙席とが隣接した場合であっても、相互に空気が行き交うことが防止される。そのため、嫌煙者は煙草の煙に我慢することなく遊技することができ、また、喫煙者は嫌煙者に気兼ねすることなく喫煙することができる。
【０２３７】
また、エアカーテン１５を台分煙属性と関連付けて運転制御することによって、全てのエアカーテン１５を常時稼動させる必要がなく、運転コストのダウンを図ることができる。また、エアカーテン１５を常時稼動させる場合と比較して稼動時間が少ないため、エアカーテン１５の保守に要する回数を減らすことができる。また、必要な場合にだけエアカーテン１５を運転することによって、エアカーテン１５から排出される空気にあたるのを嫌がる遊技者や、吹出口からの空気の吹出音を嫌がる遊技者に対しても対応することができる。
【０２３８】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【０２３９】
以上のように、本発明に係る遊技機管理システムは、パチンコ遊技機、コイン遊技機、スロットマシン等の遊技機等が設置された遊技場内の分煙化を図る遊技管理システムに適用することができる。
【図面の簡単な説明】
【０２４０】
【図１】本発明の実施の形態の遊技システムのシステム構成図である。
【図２】本発明の実施の形態の顧客管理装置の構成を示すブロック図である。
【図３】本発明の実施の形態の個人情報テーブルの構成図である。
【図４】本発明の実施の形態の遊技機周辺のブロック図である。
【図５】本発明の実施の形態の遊技者分煙属性決定テーブル及び台分煙属性決定テーブルの構成図である。
【図６】本発明の実施の形態の分煙設定切替処理１の説明図である。
【図７】本発明の実施の形態の分煙設定切替処理２の説明図である。
【図８】本発明の実施の形態の分煙設定テーブルの別の形態の構成図である。
【図９】本発明の実施の形態の会員端末の説明図である。
【図１０】本発明の実施の形態の灰皿装置の説明図である。
【図１１】本発明の実施の形態の遊技者分煙属性設定処理のフローチャートである。
【図１２】本発明の実施の形態の属性有効時間更新処理のフローチャートである。
【図１３】本発明の実施の形態の台分煙属性設定処理のフローチャートである。
【図１４】本発明の実施の形態の台分煙属性設定の説明図である。
【図１５】本発明の実施の形態の台分煙属性設定解除の説明図である。
【図１６】本発明の実施の形態の台間エアカーテン制御処理の説明図である。
【符号の説明】
【０２４１】
１  遊技場内部管理装置
２  分煙管理装置
３  顧客管理装置
５  情報収集端末装置
６  遊技用装置
６ａ  遊技機
８  会員端末
９  灰皿装置
８１  表示装置
９１  蓋部
８０３  分煙受付スイッチ
【図１】
2007082673.tif 000003
【図２】
2007082673.tif 000004
【図３】
2007082673.tif 000005
【図４】
2007082673.tif 000006
【図５】
2007082673.tif 000007
【図６】
2007082673.tif 000008
【図７】
2007082673.tif 000009
【図８】
2007082673.tif 000010
【図９】
2007082673.tif 000011
【図１０】
2007082673.tif 000012
【図１１】
2007082673.tif 000013
【図１２】
2007082673.tif 000014
【図１３】
2007082673.tif 000015
【図１４】
2007082673.tif 000016
【図１５】
2007082673.tif 000017
【図１６】
2007082673.tif 000018